(57)【要約】【課題】光源からの光を効率良く利用しつつ透過率を改善し、輝度を向上することができる液晶表示素子及び表示装置を提供すること。【解決手段】光を放射する光源２２と、光源２２からの光を色毎に分離する色分離手段２７ａ，２７ｂと、色毎に分離された光を集束するマイクロレンズが設けられたマイクロレンズアレイ２４ａ，２４ｂ及び、カラー表示用の原色に対応する複数の矩形の画素が規則的に配列した構成であって分離された色毎の光を再生画像に応じて変調する変調素子を、有する液晶表示素子６ａ，６ｂ，６ｃと、再生画像に応じて変調された変調光を合成する合成手段５と、合成された変調光を投射して再生画像をスクリーン６１に表示させる投射レンズ３２とを備え、マイクロレンズは、矩形の画素の形状に合わせて光を楕円形状に集束する構成を設ける。【選択図】　　　　図５
2004138670.tif 000002
【特許請求の範囲】
【請求項１】
スクリーンに再生画像を表示させる光学ブロックであって、
光を放射する光源と、
前記光源からの光を色毎に分離する色分離手段と、
前記色毎に分離された光を集束するマイクロレンズが設けられたマイクロレンズアレイ及び、カラー表示用の原色に対応する複数の矩形の画素が規則的に配列した構成であって分離された色毎の光を再生画像に応じて変調する変調素子を、有する液晶表示素子と、
前記再生画像に応じて変調された変調光を合成する合成手段と、
合成された前記変調光を投射して前記再生画像を前記スクリーンに表示させる投射レンズとを備え、
前記マイクロレンズは、前記矩形の画素の形状に合わせて前記光を楕円形状に集束する構成とした
ことを特徴とする光学ユニット。
【請求項２】
前記マイクロレンズは、前記楕円形状の集光状態の長辺が前記矩形の画素における長辺に、前記楕円形状の集光状態の短辺が前記矩形の画素における短辺にほぼ一致するように前記光を集束する構成であることを特徴とする請求項１に記載の光学ユニット。
【請求項３】
前記複数の画素には、それぞれ透過する前記光を遮光する矩形の遮光膜が形成されていることを特徴とする請求項１に記載の光学ユニット。
【請求項４】
再生画像に応じて変調した変調光を投射する光学ブロックと、
前記光学ブロックによって投射された前記変調光が投射されることで再生画像が表示されるスクリーンと
を備える表示装置であって、
前記光学ユニットが、
光を放射する光源と、
前記光源からの光を色毎に分離する色分離手段と、
前記色毎に分離された光を集束するマイクロレンズを有するマイクロレンズアレイ及び、カラー表示用の原色に対応する複数の矩形の画素が規則的に配列した構成であって分離された色毎の光を再生画像に応じて変調する変調素子を、有する液晶表示素子と、
前記再生画像に応じて変調された変調光を合成する合成手段と、
合成された前記変調光を投射して前記再生画像を表示させる投射レンズとを備え、
前記マイクロレンズは、前記複数の矩形の画素の長辺及び短辺に合わせるように、前記光を楕円形状に集束するように構成されている
ことを特徴とする表示装置。
【請求項５】
前記マイクロレンズは、前記楕円形状の集光状態の長辺が前記矩形の画素における長辺に、前記楕円形状の集光状態の短辺が前記矩形の画素における短辺にほぼ一致するように前記光を集束する構成であることを特徴とする請求項４に記載の表示装置。
【請求項６】
前記複数の画素には、それぞれ透過する前記光を遮光する矩形の遮光膜が形成されていることを特徴とする請求項４に記載の表示装置。
【発明の詳細な説明】
【０００１】
【発明の属する技術分野】
本発明は、スクリーンに対して再生画像を表示するための投射光を投射する光学ブロック及び表示装置に関するものである。
【０００２】
【従来の技術】
近年、液晶表示素子をライトバルブに用いたプロジェクタの開発が盛んである。この液晶表示素子において最も重要な性能は輝度（明るさ）であり、従来より、液晶表示素子には、輝度向上のためにマイクロレンズアレイが用いられている。
【０００３】
この液晶表示素子は、液晶層を二枚のガラスで挟んだ構造を取っている。そして、その一方のガラスには、駆動素子である薄膜トランジスタ（以下、ＴＦＴ：Ｔｈｉｎ　Ｆｉｌｍ　Ｔｒａｎｓｉｓｔｏｒ）及び開口部を形成し、その対向側のガラスには、マイクロレンズとなる曲面が複数配列するように形成されている。
【０００４】
複数のマイクロレンズを有するマイクロレンズアレイは、対向基板内にＴＦＴと一対一で対応するように配置されている。この液晶表示素子は、マイクロレンズアレイを搭載することにより各マイクロレンズで入射光を集束させ、光を効率よく透過させることができる。
【０００５】
一般的に、ＴＦＴの画素各は正方格子のものが多い。それに伴い、図１０に示すように従来のマイクロレンズ１４２は、ＴＦＴの画素１５１の表面に対して垂直方向を対称軸とした回転対称形状である。このような形状の従来のマイクロレンズ１４２によれば、円あるいは正方形の画素の開口部に対しては、集光状態が円形であることから、光を最適に集束することができる。
【０００６】
【発明が解決しようとする課題】
ところが、従来の液晶表示素子では、図１１に示すように画素１５１において、光が透過するＴＦＴ開口部１４３の形状は矩形であることが多い。これは、ＴＦＴ形成の際に、ＣＳ（蓄積容量）、遮光部１７１、コンタクト開口等を形成する必要があり、矩形の長辺の近傍にこれらを配置しているためである。つまり、画素１５１の開口部１４３が正方形になるようにこれらＣＳ等を配置することは、現実的には困難である。現状では、図１０に示すように矩形の開口部１４３には、光軸を中心として回転対称な形状のマイクロレンズ１４２が配置しているため、図１１に示すように集光状態１５５が開口部１４３の内部に収まらず遮光部１７１によって光が遮光されてしまい、集光効率に損失が生じている。
【０００７】
そして、今後、画素１５１の高精細化が進むと、更に画素１５１のピッチを小さくしなければならないが、それに従って画素１５１の開口部１４３の形状を相似的に縮小することはできないため、画素１５１の開口部１４３の形状の対称性は悪くなる傾向にある。近年、特に高精細化による画素１５１のピッチ縮小化の要請がある。これに対して、ＴＦＴの光遮光膜あるいは液晶のリバースチルドドメインのための遮光部１７１は、一定以上の面積が実質的に必要となるため、画素１５１のピッチ縮小化に伴い、開口部１４３の形状の縦横比がより一対一（正方形状）からずれてくる傾向となっている。従って、今後ＴＦＴの画素１５１の高精細化が進むと開口部１４３の形状の縦横比が大きくなり、従来の液晶表示素子におけるマイクロレンズでは、図１１に示す集光状態１５５のように遮光部１７１によって遮光される光がより多くなり、さらにレンズ効率が落ちてしまう。
【０００８】
そこで本発明は上記課題を解決し、光源からの光を効率良く利用しつつ透過率を改善し、輝度を向上することができる液晶表示素子及び表示装置を提供することを目的としている。
【０００９】
【課題を解決するための手段】
上記目的は、請求項１の発明にあっては、スクリーンに再生画像を表示させる光学ブロックであって、光を放射する光源と、前記光源からの光を色毎に分離する色分離手段と、前記色毎に分離された光を集束するマイクロレンズが設けられたマイクロレンズアレイ及び、カラー表示用の原色に対応する複数の矩形の画素が規則的に配列した構成であって分離された色毎の光を再生画像に応じて変調する変調素子を、有する液晶表示素子と、前記再生画像に応じて変調された変調光を合成する合成手段と、合成された前記変調光を投射して前記再生画像を前記スクリーンに表示させる投射レンズとを備え、前記マイクロレンズは、前記矩形の画素の形状に合わせて前記光を楕円形状に集束する構成としたことを特徴とする光学ユニットにより、達成される。
請求項１の構成によれば、マイクロレンズが画素の形状に合わせて光を楕円形状に集束するので、各画素の矩形部分に光が遮光されることなく、各矩形の画素のほぼ全面に光が効率良く集束することで光の透過率を改善し、輝度を向上することができる。
【００１０】
請求項２の発明は、請求項１の構成において、前記マイクロレンズは、前記楕円形状の集光状態の長辺が前記矩形の画素における長辺に、前記楕円形状の集光状態の短辺が前記矩形の画素における短辺にほぼ一致するように前記光を集束する構成であることを特徴とする。
請求項２の構成によれば、マイクロレンズが矩形の画素の長辺及び短辺に合わせて光を楕円形状に集束するので、各画素の矩形部分に光が遮光されることなく、各矩形の画素のほぼ全面に光が効率良く集束することで光の透過率を改善し、輝度を向上することができる。
【００１１】
請求項３の発明は、請求項１の構成において、前記複数の画素には、それぞれ透過する前記光を遮光する矩形の遮光膜が形成されていることを特徴とする。
請求項３の構成によれば、マイクロレンズが矩形の遮光膜の形状に合わせて光を楕円形状に集束するので、各画素の矩形部分に光が遮光されることなく、各矩形の画素のほぼ全面に光が効率良く集束することで光の透過率を改善し、輝度を向上することができる。
【００１２】
上記目的は、請求項４の発明にあっては、再生画像に応じて変調した変調光を投射する光学ブロックと、前記光学ブロックによって投射された前記変調光が投射されることで再生画像が表示されるスクリーンとを備える表示装置であって、前記光学ユニットが、光を放射する光源と、前記光源からの光を色毎に分離する色分離手段と、前記色毎に分離された光を集束するマイクロレンズを有するマイクロレンズアレイ及び、カラー表示用の原色に対応する複数の矩形の画素が規則的に配列した構成であって分離された色毎の光を再生画像に応じて変調する変調素子を、有する液晶表示素子と、前記再生画像に応じて変調された変調光を合成する合成手段と、合成された前記変調光を投射して前記再生画像を表示させる投射レンズとを備え、前記マイクロレンズは、前記複数の矩形の画素の長辺及び短辺に合わせるように、前記光を楕円形状に集束するように構成されていることを特徴とする表示装置により、達成される。
請求項４の構成によれば、マイクロレンズが画素の形状に合わせて光を楕円形状に集束するので、各画素の矩形部分に光が遮光されることなく、各矩形の画素のほぼ全面に光が効率良く集束することで光の透過率を改善し、輝度を向上することができる。
【００１３】
請求項５の発明は、請求項４の構成において、前記マイクロレンズは、前記楕円形状の集光状態の長辺が前記矩形の画素における長辺に、前記楕円形状の集光状態の短辺が前記矩形の画素における短辺にほぼ一致するように前記光を集束する構成であることを特徴とする。
請求項５の構成によれば、マイクロレンズが矩形の画素の長辺及び短辺に合わせて光を楕円形状に集束するので、各画素の矩形部分に光が遮光されることなく、各矩形の画素のほぼ全面に光が効率良く集束することで光の透過率を改善し、輝度を向上することができる。
【００１４】
請求項６の発明は、請求項４の構成において、前記複数の画素には、それぞれ透過する前記光を遮光する矩形の遮光膜が形成されていることを特徴とする。
【００１５】
請求項６の構成によれば、マイクロレンズが矩形の遮光膜の形状に合わせて光を楕円形状に集束するので、各画素の矩形部分に光が遮光されることなく、各矩形の画素のほぼ全面に光が効率良く集束することで光の透過率を改善し、輝度を向上することができる。
【００１６】
【発明の実施の形態】
以下、本発明の好適な実施の形態を添付図面に基づいて詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１７】
図１は、本発明の好ましい実施形態としての表示装置が適用されたプロジェクタ装置１００の外観の一例を示す斜視図である。
プロジェクタ装置１００は、光学ユニット１０４及びミラー６２を筐体１０１内に内蔵している。光学ユニット１０４は筐体１０１の下部１０３に設けられており、ミラー６２は、筐体１０１の中央部から上部１０２にかけてスクリーン６１に対して傾斜するように設けられている。筐体１０１の前面部１１０には、スクリーン６１が設けられている。このスクリーン６１には、ミラー６２で反射された光が投射される構成となっている。
【００１８】
このプロジェクタ装置１００は、光学ユニット１０４に、例えば三枚の液晶ライトバルブを用いたいわゆる三板式の液晶プロジェクタ装置である。このような構成のプロジェクタ装置１００は、再生画像に応じて光学ユニット１０４から照射された光がミラー６２によって反射され、スクリーン６１に再生画像が表示されるようになっている。このスクリーン６１に再生された再生画像は、人間によって視認することができる。
【００１９】
図２は、図１に示す光学ユニット１０４の構成例を示す図である。尚、図２においては、図面の簡素化のため各光学部材を支持する支持部材を省略している。光学ユニット１０４は、図示のような光学部品を有している。ランプ２２側には、マイクロレンズアレイ２４ａ，２４ｂがミラー３３を介して配置されている。また、ランプ２２及びマイクロレンズアレイ２４ａの間にはＵＶ／ＩＲカットフィルタ２３が設けられている。このＵＶ／ＩＲカットフィルタ２３は、紫外線（ＵＶ：Ｕｌｔｒａ　Ｖｉｏｌｅｔ　ｒａｙｓ）や赤外線（ＩＲ：ＩｎｆｒａＲｅｄ）をカットするためのフィルタである。マイクロレンズアレイ２４ａ，２４ｂについては後述する。
ミラー３３はマイクロレンズアレイ２４ａからの光をマイクロレンズアレイ２４ｂに反射するためのミラーである。ＰＳ合成素子７３は、入射光を、例えば２種類の偏光光に分離する機能を有する。そして、ランプ２２からの光を赤、緑、青（Ｒ、Ｇ、Ｂ）の三色の光に偏光して液晶ライトバルブ６ａ，６ｂ，６ｃにそれぞれ導くためのダイクロイックミラー２７ａ，２７ｂ、ミラー２８ｂ及び、反射ミラー２８ａ，２８ｂ，２８ｃが光軸ＯＬに沿って配置されている。
【００２０】
ダイクロイックミラー２７ａ，２７ｂは、それぞれランプ２２からの光の分離光学手段である。分光された三色の光が通過する経路には、それぞれ集光レンズ２９ａ，２９ｂ，２９ｃ、偏光板３０ａ，３０ｂ，３０ｃ、液晶ライトバルブ６ａ，６ｂ，６ｃが配置されている。これら液晶ライトバルブ６ａ，６ｂ，６ｃは、それぞれ合成プリズムとしてのクロスプリズム５に対して各色の光を入射させる構成となっている。このクロスプリズム５では、各色の光が合成プリズムの各面から入射される構成となっている。
そしてこの合成プリズムは各色毎の光を合成し投射レンズ３２に入射させるように構成されている。投射レンズ３２は、クロスプリズム５から入射された光を拡大し投射する機能を有する。ここで、ダイクロイックミラー２７ｂを通過した光は、カラートリミングコートが施されたリレーレンズ３１ａ，３１ｂによって青色（Ｂ）以外の色の光が除去されている。
【００２１】
ここで、この光学ユニット１０４の動作例について説明する。
メタルハライドランプ等のランプ２２からの照射光は、紫外線（ＵＶ）及び赤外線（ＩＲ）がＵＶ／ＩＲカットフィルタ２３によって遮断され、マイクロレンズアレイ２４ａを通過してミラー３３によってマイクロレンズアレイ２４ｂに照射される。そして、マイクロレンズアレイ２４ｂを透過した光が、ＰＳ合成素子７３及びコンデンサレンズ３４を通過してダイクロイックミラー２７ａに照射される。このダイクロイックミラー２７ａでは、赤色光Ｒが分離反射され、分離された赤色光Ｒは反射ミラー２８ａで反射され、集光レンズ２９ａ及び偏光板３０ａを透過し、赤色用の液晶ライトバルブ６ａを通過する。
【００２２】
また、ダイクロイックミラー２７ａを透過した光、すなわち緑色光Ｇ及び青色光Ｂは、それぞれダイクロイックミラー２７ｂにおいて緑色光Ｇが分離反射され、分離した緑色光Ｇは、集光レンズ２９ｂ及び偏光板３０ｂを透過し、緑色用の液晶ライトバルブ６ｂを透過する。一方、ダイクロイックミラー２７ｂを透過した青色光Ｂは、リレーレンズ３１ａを通過し、反射ミラー２８ｂで反射してリレーレンズ３１ｂを透過する。リレーレンズ３１ｂを透過した青色光Ｂは、反射ミラー２８ｃで反射し、集光レンズ２９ｃ及び偏光板３０ｃを透過し、青色用の液晶ライトバルブ６ｃを透過する。
【００２３】
これら本実施形態において特徴的な液晶ライトバルブ６ａ，６ｂ，６ｃは、それぞれ再生映像に基づく赤色、緑色、青色の映像信号により駆動回路の動作により駆動される。このようにして液晶ライトバルブ６ａ，６ｂ，６ｃは、それぞれ赤色光、緑色光、青色光を各々光変調する構成となっている。その後、三色の液晶ライトバルブ６ａ，６ｂ，６ｃを透過した光は、クロスプリズム５で色合成されて、投射レンズ３２によって図１のスクリーン６１に拡大して投射される。
【００２４】
図３は、図２に示す液晶ライトバルブ６ａ、６ｂ、６ｃの構成例を示す斜視図であり、図４は、図３に示す液晶ライトバルブ６ａ、６ｂ、６ｃのＡ−Ａ’断面の構成例を示す断面図である。尚、液晶ライトバルブ６ｂ、６ｃは、それぞれ液晶ライトバルブ６ａとほぼ同様の構成であるので、以下の説明では液晶ライトバルブ６ａについてのみ触れる。また、図４は、視認しやすいように縦方向（入射光の方向）に引き延ばして図示している。
【００２５】
図３に示すように液晶ライトバルブ６ａは、基部４７ａの上層に液晶層４５が形成されており液晶層４５の上層には、マイクロレンズアレイ４１が形成されている。このマイクロレンズアレイ４１は、各画素５１がマトリックス状に配列されている。また、マイクロレンズアレイ４１では、レンズ面４９を有するマイクロレンズが各画素５１に対面するようにマトリックス状に配列されている。
【００２６】
これらマイクロレンズ４２と画素５１は、それぞれ対面するように構成されている。つまり、マイクロレンズ４２で集束された光は画素５１の開口部４３に集束される。この画素５１は、遮光部によって画素が矩形となるように開口部４３が形成されている。このように開口部４３が正方形ではなく矩形に構成されているのは、この矩形の開口部４３の長辺部分の遮光部にＣＳ（蓄積容量）等が設けられているためである。つまりこのようなＣＳが開口部４３のそばに設けられていることにより、開口部４３が正方形ではなく矩形の形状であるのである。
【００２７】
そして、図４に示すマイクロレンズ４２によって集束された光は画素５１の開口部４３に集束され、画素５１の液晶層４５によって光変調される。液晶層４５によって光変調された光は、基部４７を透過する。ここで、以下の説明では、画素における長辺方向をＸ方向とし、短辺方向をＹ方向とし、垂直方向をＺ方向とする。
【００２８】
図５は、マイクロレンズ４２によって集束された光の状態の一例を示す斜視図であり、図６は、図５に示す集光状態の一例を示すイメージ図である。尚、図５において曲率Ｒｘはマイクロレンズ４２のレンズ面４９のＸ方向における曲率を示しており、曲率ＲｙはＹ方向における曲率を示している。
画素５１の開口部４３には、マイクロレンズ４２によって集束された光による集光状態５５が表されている。ここで、曲率Ｒｘは曲率Ｒｙと等しくなく、曲率Ｒｘは曲率Ｒｙよりも大きいのが望ましい。
【００２９】
つまり、このマイクロレンズ４２によって集束された光の状態である集光状態５５は、図示のようにＸ方向に長い楕円形状となる。ここで、画素５１の開口部４３は図示のように矩形であるので、集光状態５５が楕円形状であると、集光状態５５が矩形の開口部４３に効率よく配置される。
つまりマイクロレンズ４２は、画素５１の開口部４３に効率よく光を集束することができる。このような構成であると、マイクロレンズ４２は、画素５１に対する光の透過率を向上させることができる。また、このマイクロレンズ４２は、光の透過率を向上させることができることから、輝度を向上させることができる。
【００３０】
画素５１には矩形の遮光部７１が設けられている。図６のようにこの画素５１には、開口部４３に効率よく光が集束されており、光が遮光部７１によって遮光されることが少ない構成となっている。従って、上述のようにマイクロレンズ４２は効率よく光を集束し、開口部４３を透過する光の量を従来より多くすることができる。
【００３１】
次に図５に示すマイクロレンズ４２の形状の具体例について説明する。
マイクロレンズ４２の形状は、曲率半径（Ｒｘ，Ｒｙ）により決定される。尚、マイクロレンズ４２の形状が曲率半径のみならず非球面定数ｋによって決定されてもよいことは言うまでもない。また、マイクロレンズの焦点距離は次の式（１）によって表される。
【００３２】
ｆ＝Ｒ／△ｎ・・・（１）
ここで、ｆは焦点距離を表しており、Ｒは曲率半径を表しており、Δｎはレンズ界面の屈折率差を表している。
【００３３】
通常のマイクロレンズ４２の設計では、例えば曲率半径Ｒを設計変更することで光の収束状態の最適化が行われる。そして、本実施形態において特徴的なことは、マイクロレンズ４２が、複数の矩形の画素５１の形状に合わせて、光を楕円に集束するように構成されていることである。
【００３４】
つまり、マイクロレンズ４２は、楕円形状の集光状態５５の長辺が矩形の画素５１における長辺に、楕円形状の集光状態５５の短辺が矩形の画素５１における短辺にほぼ一致するように光を集束する構成となっている。より具体的に示すと、開口部４３の長辺方向（以下Ｘ方向とする）の曲率半径Ｒｘと開口部４３の短辺方向（以下Ｙ方向とする）の曲率半径Ｒｙをそれぞれ独立に開口部４３に対して最適化させることにより、楕円形状に光を集束するレンズを実現させている。
【００３５】
図７は、図３等に示す液晶ライトバルブ６ａ等を利用して行ったシミュレーションの光学系の構成例を示す図である。尚、図７においては各光学部品を支持する各支持部材を省略している。
このシミュレーションでは、例えば１８μｍピッチの画素に、例えば短辺８．５μｍ、長辺１７μｍの開口部４３が形成されたＬＣＤ７９（ＴＦＴ）に、曲率半径Ｒｘ：曲率半径Ｒｙの比が約２：１になるようなマイクロレンズアレイ２４ａを搭載した液晶表示素子を一例として挙げる。尚、マイクロレンズ２４ｂでもほぼ同様の特性を有することはいうまでもない。
【００３６】
まず、ランプ２２から発生した光は、第１フライアイレンズ７５、第２フライアイレンズ７７、コンデンサーレンズ３４、フィールドレンズ２９ａ等の光学系を通り、ＬＣＤ（Ｌｉｑｕｉｄ　Ｃｒｙｓｔａｌ　Ｄｉｓｐｌａｙ）７９を透過して投射レンズ３２に入射する。
【００３７】
図８は、図７のシミュレーション条件及びその結果の一例を示す図であり、図９は、図８のシミュレーション結果をグラフ化した一例を示す図である。
このシミュレーションでは、シミュレーション条件である開口部４３の縦横比として、短辺と長辺の比が例えば１：１である正方形、１：１．５である矩形、１：２である同じく矩形が例示されている。そして、このシミュレーション結果では、上段に本実施形態におけるマイクロレンズ４２による明るさが表されており、下段に従来のマイクロレンズによる明るさが示されている。
【００３８】
このシミュレーション結果によれば、従来のマイクロレンズでは、開口部４３の縦横比が１：１から１：２になるにつれて、つまり極端な矩形となった場合において、明るさが急激に落ちていることがわかる。一方、本実施形態におけるマイクロレンズ４２では、縦横比が１：２になった場合においても明るさが従来のマイクロレンズほど落ちないことがわかる。
【００３９】
このような差が生じたのは、本実施形態におけるマイクロレンズ４２が、開口部４３の形状に合わせて光を楕円に集束し、開口部４３の形状の中に集光状態５５が収まるように構成されているためである。具体的には、本実施形態におけるマイクロレンズ４２は、従来のマイクロレンズと比べて、その透過率が約５％向上していることがわかる。
【００４０】
このシミュレーション結果によれば、次のことがわかる。
１．本実施形態におけるマイクロレンズ及び従来のマイクロレンズにおいて、それぞれ開口部の縦横比が大きくなるほど暗くなる（輝度が低下する）。
２．本実施形態におけるマイクロレンズ４２の方が、従来のマイクロレンズよりも縦横比が変わった場合にも下がり方が少ない、つまり縦横比が変わった場合においても明るいままとなる。
３．本実施形態におけるマイクロレンズ４２は、開口部４３の縦横比が大きくなるほどその効果を増すことができる。
４．本実施形態におけるマイクロレンズ４２を開口部４３に最適化させた時、その曲率半径比Ｒｘ：Ｒｙは概ね開口部４３の縦横比に等しい。
【００４１】
本実施形態によれば、光源としてのランプ２２からの光を効率よく利用しつつ透過率を改善し、輝度を向上することができる。また、このような液晶ライトバルブ６ａ等が設けられた図１の光学ユニット１０４を備えるプロジェクタ装置１００は、スクリーン６１に再生画像を表示した場合においてコントラストを向上することができる。
【００４２】
図３に示す液晶ライトバルブ６ａは、画素５１における開口部４３が正方形の場合であっても矩形（長方形）の場合であっても、輝度の減少が少なくなる。このため、液晶層４５（ＴＦＴ）を製造する場合において液晶層４５の形状を正確に正方形状とする必要がないため、プロセスのマージンが増加する。また、同様に液晶層４５のプロセスマージンが増加すことで、ＴＦＴを設計する際においてもマージンを増すことができる。
【００４３】
ところで本発明は上述した実施形態に限定されるものではない。例えば上記実施形態の各構成は、その一部を省略したり、上記とは異なるように任意に組み合わせることができる。
【００４４】
【発明の効果】
以上説明したように、本発明によれば、光源からの光を効率良く利用しつつ透過率を改善し、輝度を向上することができる。
【図面の簡単な説明】
【図１】本発明の好ましい実施形態としての表示装置が適用されたプロジェクタ装置の構成例を示す斜視図。
【図２】図１の光学ユニットの構成例を示す図。
【図３】図２の液晶ライトバルブの構成例を示す斜視図。
【図４】図３の液晶ライトバルブのＡ−Ａ’断面の構成例を示す断面図。
【図５】マイクロレンズのレンズ面及び集光状態の一例を示す斜視図。
【図６】マイクロレンズによる集光状態の一例を示すイメージ図。
【図７】本実施形態における液晶ライトバルブを利用したシミュレーションの光学系の一例を示す図。
【図８】シミュレーション条件及びその結果の一例を示す図。
【図９】シミュレーション条件及びその結果の一例を示す図。
【図１０】従来のマイクロレンズによる光の集光状態の一例を示す図。
【図１１】従来のマイクロレンズによる光の集光状態の一例を示す図。
【符号の説明】
５・・・クロスプリズム（合成手段）、６ａ，６ｂ，６ｃ・・・液晶ライトバルブ（液晶表示素子）、２２・・・ランプ（光源）、２４ａ，２４ｂ・・・マイクロレンズアレイ、２７ａ，２７ｂ・・・ダイクロイックミラー（色分離手段）、３２・・・投射レンズ、５１・・・画素、６１・・・スクリーン、１００・・・プロジェクタ装置（表示装置）、１０４・・・光学ユニット
【図１】
2004138670.tif 000003
【図２】
2004138670.tif 000004
【図３】
2004138670.tif 000005
【図４】
2004138670.tif 000006
【図５】
2004138670.tif 000007
【図６】
2004138670.tif 000008
【図７】
2004138670.tif 000009
【図８】
2004138670.tif 000010
【図９】
2004138670.tif 000011
【図１０】
2004138670.tif 000012
【図１１】
2004138670.tif 000013